(57)【要約】【課題】コスト削減および環境保護を達成できる液晶モニタの支持枠構造を提供する。【解決手段】第１の定位ロッド２１は湾曲部２１１を備え、他端のロッド体まで延伸しており、第２の定位ロッド２２は湾曲部２１１を備え、他端のロッド体まで延伸しており、第１の定位ロッド２１と第２の定位ロッド２２との間には二本または二本以上の連結ロッド２３が跨設されており、定位部材２３２によって連結ロッド２３は第１の定位ロッド２１と第２の定位ロッド２２との間に接続固定されて中空の骨組み８を形成しており、骨組み８の中空部分に液晶パネル３を収容でき、骨組み８の他の一面にマザーボード部５および電源部６を設置でき、組立時、大幅に組立時間を短縮でき、中空の骨組みとすることによって大幅に金属材料の浪費を減少させることができ、コスト削減および環境保護を達成できる。【選択図】  図３ 
0003112666.tif 000002
【実用新案登録請求の範囲】
【請求項１】
第１の定位ロッドと、第２の定位ロッドと、連結ロッドとからなり、
前記第１の定位ロッドは、もう一端のロッド体まで延伸しており、
前記第２の定位ロッドは、もう一端のロッド体まで延伸しており、
前記連結ロッドは、二本または二本以上設けられ、前記第１の定位ロッドと前記第２の定位ロッドとの間に跨設されて中空の骨組みが形成されていることを特徴とする液晶モニタの支持枠構造。
【請求項２】
前記第１の定位ロッドは、湾曲部を備えるロッド体であることを特徴とする請求項１記載の液晶モニタの支持枠構造。
【請求項３】
前記第２の定位ロッドは、湾曲部を備えるロッド体であることを特徴とする請求項１記載の液晶モニタの支持枠構造。
【請求項４】
前記連結ロッドは、長い棒状の導電性を有するロッド体であることを特徴とする請求項１記載の液晶モニタの支持枠構造。
【請求項５】
前記連結ロッドは、両端に側壁が設けられ、前記両端の側壁には二個または二個以上の導線出口が設けられていることを特徴とする請求項１記載の液晶モニタの支持枠構造。
【請求項６】
前記連結ロッド内部には、導線溝が形成されていることを特徴とする請求項１記載の液晶モニタの支持枠構造。
【考案の詳細な説明】
【技術分野】
【０００１】
本考案は液晶モニタの支持枠構造の改良に関し、特に中空の骨組みが形成され、液晶パネルを収容でき、組立が簡単で、コストが低く、環境にもやさしい液晶モニタの支持枠構造に関する。
【背景技術】
【０００２】
従来技術によるモニタの枠構造(例えば、特許文献１)は、図１に示すように、主にプラスチック前枠４と、液晶パネル３と、保護片１１と、支持枠本体１と、マザーボード部１２と、プラスチック後枠７とから構成され、支持枠本体１および保護片１１は金属材料を一体成形した凹体であり、支持枠本体１に保護片１１が収容された後、液晶パネル３の周囲を緊密に貼合できるが、液晶パネル３のサイズを変更した場合、その液晶パネル３のサイズに符合する支持枠本体１の型を製造する必要があり、さらに一般の液晶モニタ製品のマザーボード部１２には容易に電磁波が外部に漏れるという欠点があり、その欠点を改善するために、一般的な解決方法としてマザーボード部１２上に金属導電体（図示せず）を設けて電磁波が外部に漏れるのを防止するものがあるが、金属導電体を設ける方式は、一般の液晶モニタ製品よりも組立、コストおよび重量などに関して様々な問題が存在する。
【特許文献１】特開２００２−２５８２４９号公報
【考案の開示】
【考案が解決しようとする課題】
【０００３】
そこで、本考案の考案者は、上述の従来技術の各欠点を鑑み、新たな改良と長年に渡る研究の末、本考案の液晶モニタの支持枠構造を案出した。
【０００４】
本考案の目的は、組立時において、大幅に組立時間を短縮でき、又、中空の骨組み構造とすることによって大幅に金属材料の浪費を減少させることができ、これによりコスト削減および環境保護を達成できる液晶モニタの支持枠構造を提供することにある。
【課題を解決するための手段】
【０００５】
上記課題を解決するため、請求項１の考案は、第１の定位ロッドと、第２の定位ロッドと、連結ロッドとからなり、前記第１の定位ロッドは、もう一端のロッド体まで延伸しており、前記第２の定位ロッドも、もう一端のロッド体まで延伸しており、前記連結ロッドは、二本または二本以上設けられ、前記第１の定位ロッドと前記第２の定位ロッドとの間に跨設されて中空の骨組みが形成されていることを特徴とする液晶モニタの支持枠構造である。
【０００６】
請求項２の考案は、前記第１の定位ロッドは、湾曲部を備えるロッド体であることを特徴とする請求項１記載の液晶モニタの支持枠構造である。
【０００７】
請求項３の考案は、前記第２の定位ロッドは、湾曲部を備えるロッド体であることを特徴とする請求項１記載の液晶モニタの支持枠構造である。
【０００８】
請求項４の考案は、前記連結ロッドは、長い棒状の導電性を有するロッド体であることを特徴とする請求項１記載の液晶モニタの支持枠構造である。
【０００９】
請求項５の考案は、前記連結ロッドは、両端に側壁が設けられ、前記両端の側壁には二個または二個以上の導線出口が設けられていることを特徴とする請求項１記載の液晶モニタの支持枠構造である。
【００１０】
請求項６の考案は、前記連結ロッド内部には、導線溝が形成されていることを特徴とする請求項１記載の液晶モニタの支持枠構造である。
【考案の効果】
【００１１】
本考案は、上述した構成であるから、組立時、連結ロッドが導電効果を有するので、有効的に導線が保護され電磁波が容易に外部に漏れず、さらに大幅に組立時間を短縮でき、骨組みによる中空構造にすることによって、大幅に金属材料の浪費を低減させることができ、コスト削減および環境保護が確実に達成できるという効果を奏する。
【考案を実施するための最良の形態】
【００１２】
本考案のその他の特徴、長所および達成可能な効果を更に明らかにするために、好適な一実施例に基づいて図を参照しながら詳細に説明する。
【００１３】
図２に示すように、本考案の実施例による液晶モニタの支持枠構造は、第１の定位ロッド２１と、第２の定位ロッド２２と、連結ロッド２３とから構成されている。
そして、第１の定位ロッド２１は湾曲部(直角に屈曲)２１１を備え、もう一端のロッド体(連結ロッド２３)まで延伸しており、第２の定位ロッド２２は湾曲部２１１を備え、もう一端のロッド体(連結ロッド２３)まで延伸しており、第１の定位ロッド２１と第２の定位ロッド２２との間には二本または二本以上の連結ロッド２３が跨設されており、連結ロッド２３は長い棒状で導電性を有するロッド体とすることができる。
連結ロッド２３の両端には側壁２３１が設けられ、両端の側壁２３１には二個または二個以上の導線出口２４が設けられ、連結ロッド２３内部には導線溝２５が形成され、定位部材２３２によって連結ロッド２３は第１の定位ロッド２１と第２の定位ロッド２２との間に接続固定されて中空の骨組み８（図３を参照）を形成している。
【００１４】
図３、４に示すように、骨組み８によって形成される中空部分には液晶パネル３が収容され、同時に湾曲部２１１によって液晶パネル３が左右に滑動するのを防ぐことができ、定位部材２３２によって液晶パネル３は骨組み８上に固定される。
【００１５】
骨組み８の他の一面にはマザーボード部５と電源部６とを設置でき、マザーボード部５の導線（図なし）は連結ロッド２３の導線溝２５に沿って導線出口２４まで収容され、外部の電気回路と接続されるので、導線の電磁波が外部に漏れる欠点を改善できる。
【００１６】
図５に示すように、骨組み８、液晶パネル３、マザーボード部５および電源部６を組立てた後、プラスチック前枠４およびプラスチック後枠７を設置して美観性を高めることができる。
【００１７】
本考案の実施例の作用を明らかにするために、従来技術との比較分析を以下に述べる。
(Ａ)従来技術の欠点。
１  電磁波が容易に外部に漏れる。
２  部材変更の融通性が低い。
３  組立時間が長い。
４  コストを浪費している。
５  環境保護に貢献できない。
【００１８】
（Ｂ）本考案の実施例の長所。
１  電磁波が容易に外部に漏れない。
２  部材変更の融通性に優れる。
３  組立時間を短縮できる。
４  コストを削減できる。
５  環境保護に貢献できる。
【００１９】
すなわち、本考案の実施例においては、組立時、連結ロッド２３が導電効果を有するので、有効的に導線が保護されて電磁波が容易に外部に漏れず、さらに大幅に組立時間を短縮でき、骨組みによる中空構造にすることによって、大幅に金属材料の浪費を低減させることができ、コスト削減および環境保護の目的を確実に達成できる。
【００２０】
なお、本考案の特徴を損なうものでなければ、上記実施例に限定されないことは勿論である。
【図面の簡単な説明】
【００２１】
【図１】従来技術による液晶モニタを示す分解図である。
【図２】本考案の実施例による液晶モニタの支持枠構造を示す分解図である。
【図３】本考案の実施例による液晶モニタの支持枠構造の完成後の様子を示す斜視図である。
【図４】本考案の実施例による液晶モニタの支持枠構造にその他部材を設置した様子を示す斜視図である。
【図５】本考案の実施例による液晶モニタの支持枠構造を液晶モニタに設置する様子を示す分解図である。
【符号の説明】
【００２２】
２１    第１の定位ロッド
２２    第２の定位ロッド
２１１  湾曲部
２３    連結ロッド
２３１  側壁
２３２  定位部材
２４    導線出口
２５    導線溝
３      液晶パネル
４      プラスチック前枠
５      マザーボード部
６      電源部
７      プラスチック後枠
８      骨組み
【図１】
0003112666.tif 000003
【図２】
0003112666.tif 000004
【図３】
0003112666.tif 000005
【図４】
0003112666.tif 000006
【図５】
0003112666.tif 000007
【手続補正書】
【提出日】平成17年5月31日(2005.5.31)
【手続補正１】
【補正対象書類名】実用新案登録請求の範囲
【補正対象項目名】請求項１
【補正方法】変更
【補正の内容】
【請求項１】
第１の定位ロッドと、第２の定位ロッドと、連結ロッドとからなり、
前記第１の定位ロッドは、一端が連結ロッドまで延伸しており、
前記第２の定位ロッドも、一端が連結ロッドまで延伸しており、
前記連結ロッドは、二本または二本以上設けられ、前記第１の定位ロッドと前記第２の定位ロッドとの間に跨設されて中空の骨組みが形成されていることを特徴とする液晶モニタの支持枠構造。
【手続補正２】
【補正対象書類名】明細書
【補正対象項目名】０００５
【補正方法】変更
【補正の内容】
【０００５】
上記課題を解決するため、請求項１の考案は、第１の定位ロッドと、第２の定位ロッドと、連結ロッドとからなり、前記第１の定位ロッドは、一端が連結ロッドまで延伸しており、前記第２の定位ロッドも、一端が連結ロッドまで延伸しており、前記連結ロッドは、二本または二本以上設けられ、前記第１の定位ロッドと前記第２の定位ロッドとの間に跨設されて中空の骨組みが形成されていることを特徴とする液晶モニタの支持枠構造である。